(57)【要約】【課題】建築躯体の上部に設けられる屋根の構造において、小屋裏空間の通気スペースを確保する通気用スペーサの施工を容易にする。【解決手段】面材４ｄの裏面に設けられた第１框材４ｂ又は補強桟材４ｅと、隣り合う第１框材４ｂ又は補強桟材４ｅの間に設けられ、かつ平板を折り曲げてなる通気用スペーサ５と、を備え、通気用スペーサ５は、面材４ｄとの間に通気用の空間を確保する通気用スペーサ本体５ａと、この通気用スペーサ本体５ａの一端部に形成された第１固定板部５ｂと、前記通気用スペーサ５の他端部に形成された第２固定板部５ｃとを有しており、第１固定板部５ｂは第１框材４ｂ又は補強桟材４ｅに固定され、第２固定板部５ｃは第１框材４ｂ又は補強桟材４ｅに固定されており、通気用スペーサ本体５ａには、屈折角度を調整可能な屈折部５ｄが少なくとも１つ形成されている。【選択図】図１
2006176976.tif 000002
【特許請求の範囲】
【請求項１】
野地板の裏面に設けられた垂木と、
隣り合う前記垂木の間に設けられ、かつ平板を折り曲げてなる通気用スペーサと、を備え、
前記通気用スペーサは、前記野地板との間に通気用の空間を確保する通気用スペーサ本体と、この通気用スペーサ本体の一端部に形成された第１固定板部と、前記通気用スペーサの他端部に形成された第２固定板部とを有しており、
前記第１固定板部は隣り合う垂木のうちの一方の垂木又は野地板に固定され、前記第２固定板部は他方の垂木又は野地板に固定されており、
前記通気用スペーサ本体には、屈折角度を調整可能な屈折部が少なくとも１つ形成されていることを特徴とする屋根構造。
【請求項２】
前記第１固定板部は前記一方の垂木の側面に当接した状態で該垂木に固定され、前記第２固定板部は前記野地板に当接した状態で前記野地板に固定されていることを特徴とする請求項１に記載の屋根構造。
【請求項３】
前記第１固定板部は前記一方の垂木の側面に当接した状態で該垂木に固定され、前記第２固定板部は前記他方の垂木の側面に当接した状態で該垂木に固定されていることを特徴とする請求項１に記載の屋根構造。
【請求項４】
前記屋根は、建築用屋根パネルによって構成されていることを特徴とする請求項１〜３のいずれか一項に記載の屋根構造。
【請求項５】
前記屋根と天井との取合部に沿って、前記通気用スペーサが設けられていることを特徴とする請求項１〜４のいずれか一項に記載の屋根構造。
【請求項６】
前記通気用スペーサは、軟質のプラスチック板からなることを特徴とする請求項１〜５のいずれか一項に記載の屋根構造。
【発明の詳細な説明】
【技術分野】
【０００１】
本発明は、建物躯体の上部に設けられる屋根の構造に関する。
【背景技術】
【０００２】
従来より、室内空間の断熱性を確保するために、天井板の上面にはグラスウール等の断熱材が敷き込まれている。また、小屋裏空間の換気のため、天井と屋根とが交差する取合部には通気スペースが設けられている。
【０００３】
ところで、室内空間において開放感を得るために天井高を高く設定したり、断熱効果を大きくするために断熱材を厚くすると、天井と屋根とが交差する取合部が断熱材によって塞がれてしまい、通気スペースを十分に確保できないという問題が生じている。そこで、垂木間に板状の通気用スペーサを設け、この通気用スペーサと野地板との間に通気スペースを確保する技術が提案されている（特許文献１参照）。
【特許文献１】特開２００１−３４２６９５号公報
【発明の開示】
【発明が解決しようとする課題】
【０００４】
しかしながら、垂木の間隔は不均一であるため、垂木間に通気用スペーサを設ける度に、隣り合う垂木と垂木の寸法を測り、通気用スペーサをその寸法に切断加工しなければならず、施工が煩雑であるという問題があった。
【０００５】
本発明の課題は、建築躯体の上部に設けられる屋根の構造において、小屋裏空間の通気スペースを確保する通気用スペーサの施工を容易にすることである。
【課題を解決するための手段】
【０００６】
以上の課題を解決するため、請求項１に記載の発明は、例えば図１〜図３に示すように、野地板（例えば、面材４ｄ）の裏面に設けられた垂木（例えば、第１框材４ｂ、補強桟材４ｅ）と、
隣り合う前記垂木（例えば、第１框材４ｂ、補強桟材４ｅ）の間に設けられ、かつ平板を折り曲げてなる通気用スペーサ５，１５と、を備え、
前記通気用スペーサ５，１５は、前記野地板（例えば、面材４ｄ）との間に通気用の空間を確保する通気用スペーサ本体５ａ，１５ａと、この通気用スペーサ本体５ａ，１５ａの一端部に形成された第１固定板部５ｂ，１５ｂと、前記通気用スペーサ５，１５の他端部に形成された第２固定板部５ｃ，１５ｃとを有しており、
前記第１固定板部５ｂ，１５ｂは隣り合う垂木のうちの一方の垂木（例えば、第１框材４ｂ、補強桟材４ｅ）又は野地板（例えば、面材４ｄ）に固定され、前記第２固定板部５ｃ，１５ｃは他方の垂木（例えば、第１框材４ｂ、補強桟材４ｅ）又は野地板（例えば、面材４ｄ）に固定されており、
前記通気用スペーサ本体５ａ，１５ａには、屈折角度を調整可能な屈折部５ｄ，１５ｄが少なくとも１つ形成されていることを特徴とする。
なお、通気用スペーサ５，１５は、段ボール、プラスチック段ボール等から形成される。
【０００７】
請求項１に記載の発明によれば、通気用スペーサ５，１５は、平板を折り曲げて形成され、通気用スペーサ本体５ａ，１５ａと、その両端部に形成された第１固定板部５ｂ，１５ｂ及び第２固定板部５ｃ，１５ｃと、を備えている。通気用スペーサ本体５ａ，１５ａは、野地板（例えば、面材４ｄ）との間に通気用の空間を確保するため、屋根１の傾斜方向に沿って通気をさせることができる。また、通気用スペーサ本体５ａ，１５ａには屈折部５ｄ，１５ｄが形成されており、この屈折部５ｄ，１５ｄの屈折角度を調整することによって第１固定板部５ｂ，１５ｂと第２固定板部５ｃ，１５ｃとの間隔を調整することができる。よって、間隔の異なる垂木（例えば、第１框材４ｂ、補強桟材４ｅ）間にも通気用スペーサ５，１５を容易に設けることができる。よって、通気用スペーサ５，１５の取付施工が容易になる。
【０００８】
請求項２に記載の発明は、例えば図２に示すように、請求項１に記載の屋根構造Ａ（図４参照）において、第１固定板部５ｂは前記垂木（例えば、第１框材４ｂ、補強桟材４ｅ）の側面に当接した状態で前記垂木（例えば、第１框材４ｂ、補強桟材４ｅ）に固定され、第２固定板部５ｃは前記野地板（例えば、面材４ｄ）に当接した状態で前記野地板（例えば、面材４ｄ）に固定されていることを特徴としている。
【０００９】
請求項２に記載の発明によれば、第１固定板部５ｂは垂木（例えば、第１框材４ｂ、補強桟材４ｅ）に、第２固定板部５ｃは野地板（例えば、面材４ｄ）に固定されているため、通気用スペーサ本体５ａと野地板（例えば、面材４ｄ）との間に形成される通気孔の幅を変えることができる。従って、通気孔の幅を変えることによって、通気量を調整することができる。
【００１０】
請求項３に記載の発明は、例えば図３に示すように、請求項１又は２に記載の屋根構造Ａ（図４参照）において、前記第１固定板部１５ｂは前記垂木（例えば、第１框材４ｂ、補強桟材４ｅ）の側面に当接した状態で前記垂木（例えば、第１框材４ｂ、補強桟材４ｅ）に固定され、前記第２固定板部１５ｃは前記垂木（例えば、第１框材４ｂ、補強桟材４ｅ）と隣り合う垂木（例えば、第１框材４ｂ、補強桟材４ｅ）の側面に当接した状態で前記垂木（例えば、第１框材４ｂ、補強桟材４ｅ）と隣り合う垂木（例えば、第１框材４ｂ、補強桟材４ｅ）に固定されていることを特徴としている。
【００１１】
請求項３に記載の発明によれば、第１固定板部１５ｂ及び第２固定板部１５ｃを隣り合う垂木（例えば、第１框材４ｂ、補強桟材４ｅ）にそれぞれ固定されているため、隣り合う垂木（例えば、第１框材４ｂ、補強桟材４ｅ）間において、屋根１の傾斜方向に直交する方向に沿って通気用の空間を一様に確保することができる。よって、隣り合う垂木（例えば、第１框材４ｂ、補強桟材４ｅ）間において、屋根１の傾斜方向に直交する方向に沿って一様に、屋根１の傾斜方向へと通気をさせることができる。
【００１２】
請求項４に記載の発明は、例えば図１に示すように、請求項１〜３のいずれか一項に記載の屋根構造Ａ（図４参照）において、前記屋根１は、建築用屋根パネル４によって構成されていることを特徴としている。
【００１３】
請求項４に記載の発明によれば、屋根１（図４参照）が建築用屋根パネル４によって構成されていることから、この建築用屋根パネル４に予め通気用スペーサ５を取り付けておくことができる。よって、作業効率が良くなる。
【００１４】
請求項５に記載の発明は、例えば図４に示すように、請求項１〜４のいずれか一項に記載の屋根構造Ａにおいて、前記屋根１と天井３との取合部に沿って、前記通気用スペーサ５が設けられていることを特徴としている。
【００１５】
請求項５に記載の発明によれば、屋根１と天井３との取合部に沿って通気用スペーサ５が設けられているため、屋根１の傾斜方向と直交した方向に沿って全面的に、屋根１の傾斜方向へと通気をさせることができる。
【００１６】
請求項６に記載の発明は、請求項１〜５のいずれか一項に記載の屋根構造Ａにおいて、前記通気用スペーサは、軟質のプラスチック板からなることを特徴としている。
【００１７】
請求項６に記載の発明によれば、通気用スペーサは軟質のプラスチック板から形成されているため、折り曲げなどの加工が容易な上、運搬に便利で、かつ通気用スペーサの製造コストを抑えることもできる。
【発明の効果】
【００１８】
本発明によれば、屋根の傾斜方向に沿って通気をさせることができる。また、間隔の異なる垂木間にも通気用スペーサを容易に設けることができる。よって、通気用スペーサの取付施工が容易になる。
【発明を実施するための最良の形態】
【００１９】
以下、図１，２，４を参照して屋根構造の第１の実施形態について詳細に説明する。
（第１の実施形態）
図４は、建物躯体Ｂの上部に設けられた屋根構造Ａを示すものである。この屋根構造Ａは、上面に断熱材２が敷き詰められた天井３の上部に設置され、図１に示すような建築用屋根パネル４によって構成されている。
【００２０】
図４に示すように、建築用屋根パネル４には天井３との取合部に沿って通気用スペーサ５が設けられており、この通気用スペーサ５は、天井３の上面に敷き込められた例えばグラスウールやロックウール等の断熱材２の端部を押さえ込んでいる。
【００２１】
図１に示すように、建築用屋根パネル４は、第１框材４ｂ及び第２框材４ｃを矩形枠状に組み立ててなる枠体４ａの上面に、野地板となる面材４ｄを取り付けて形成されている。また、建築用屋根パネル４には第１框材４ｂと平行な補強桟材４ｅが設けられており、これらの第１框材４ｂ及び補強桟材４ｅが垂木の役目を果たしている。
【００２２】
隣り合う第１框材４ｂと補強桟材４ｅとの間には、通気用スペーサ５が設けられている。通気用スペーサ５は、ポリエチレンやポリプロピレン等の軟質のプラスチック板から形成されており、通気用スペーサ本体５ａと、その両端部に形成された第１固定板部５ｂ及び第２固定板部５ｃと、を備えている。また、通気用スペーサ本体５ａは屋根１の傾斜方向と平行な稜線を有する屈折部５ｄを備えている。
【００２３】
図２に示すように、第１固定板部５ｂは、面材４ｄに対して直立しかつ補強桟材４ｅ（第１框材４ｂ）に当接した状態で、ステープル等の止着材６によって補強桟材４ｅ（第１框材４ｂ）に固定されており、第２固定板部５ｃは、面材４ｄに当接した状態でステープル等の止着材６によって面材４ｄに固定されている。
【００２４】
次に、以上のように構成される屋根構造Ａの施工手順を詳細に説明する。
まず、工場等において、第１框材４ｂ及び第２框材４ｃを矩形枠状に組み立てた枠体４ａに補強桟材４ｅを組み付け、枠体４ａの上面に面材４ｄを貼着する。
【００２５】
その後、図２に示すように、同じく工場等において、天井３の上面に敷き込める断熱材２の位置に合わせて、各建築用屋根パネル４に通気用スペーサ５を固定する。通気用スペーサ５は、１枚のプラスチック板の両端部を同じ方向に折り曲げ、これらの折り曲げた部分を第１固定板部５ｂ及び第２固定板部５ｃとし、第１固定板部５ｂと第２固定板部５ｃとの間を通気用スペーサ本体５ａとする。
【００２６】
また、通気用スペーサ本体５ａを折り曲げて屈折部５ｄを設ける。このとき、屈折部５ｄは、通気用スペーサ本体５ａの両端部とは逆方向に折り曲げて設けられる。そして、隣り合う第１框材４ｂと補強桟材４ｅとの間隔が異なっても、屈折部５ｄの角度を調整することで第１固定板部５ｂ及び第２固定板部５ｃの距離を調整して、第１框材４ｂ及び補強桟材４ｅに固定される。
【００２７】
最後に、建築用屋根パネル４を施工現場へと搬送し、通気用スペーサ５で断熱材２の端部を押さえ込むようにして、所定の位置に取り付ける。
【００２８】
（第２の実施形態）
次に、図３を参照して屋根構造の第２の実施形態について詳細に説明する。ここで、建築用屋根パネル４（図４参照）に固定する通気用スペーサ１５以外のものは第１の実施形態と同一であるので、その構成の詳細な説明は省略し、通気用スペーサ１５の構成について説明する。
【００２９】
図３に示すように、隣り合う第１框材４ｂと補強桟材４ｅとの間には、通気用スペーサ１５が設けられている。通気用スペーサ５は、ポリエチレンやポリプロピレン等の軟質のプラスチック板から形成されており、通気用スペーサ本体１５ａと、その両端部に形成された第１固定板部１５ｂ及び第２固定板部１５ｃと、を備えている。また、通気用スペーサ本体１５ａは屋根１の傾斜方向と平行な稜線を有する屈折部１５ｄを備えている。
【００３０】
図３に示すように、第１固定板部１５ｂは、補強桟材４ｅ（第１框材４ｂ）に対して傾斜しかつ第１固定板部１５ｂの端部が補強桟材４ｅ（第１框材４ｂ）に当接した状態で、ステープル等の止着材６によって補強桟材４ｅ（第１框材４ｂ）に固定されている。また、第２固定板部５ｃは、面材１４ｄに対して直立しかつ第１框材４ｂ（補強桟材４ｅ）に当接した状態で、ステープル等の止着材６によって第１框材４ｂ（補強桟材４ｅ）に固定されている。
【００３１】
次に、以上のように構成される屋根構造Ａの施工手順を詳細に説明する。
まず、工場等において、第１框材４ｂ及び第２框材４ｃを矩形枠状に組み立てた枠体４ａに補強桟材４ｅを組み付け、枠体４ａの上面に面材４ｄを貼着する。
【００３２】
その後、図３に示すように、同じく工場等において、天井３（図４参照）の上面に敷き込める断熱材２（図４参照）の位置に合わせて、各建築用屋根パネル４（図４参照）に通気用スペーサ１５を固定する。通気用スペーサ１５は、１枚のプラスチック板の両端部をそれぞれ反対の方向に折り曲げ、これらの折り曲げた部分を第１固定板部１５ｂ及び第２固定板部１５ｃとし、第１固定板部１５ｂと第２固定板部１５ｃとの間を通気用スペーサ本体１５ａとする。
【００３３】
また、通気用スペーサ本体１５ａを折り曲げて屈折部１５ｄを設ける。このとき、屈折部１５ｄは、通気用スペーサ本体１５ａと第１固定板部１５ｂとの境目の折り目と同じ方向に折り曲げて設けられる。そして、隣り合う第１框材４ｂと補強桟材４ｅとの間隔が異なっても、屈折部１５ｄの角度を調整することで第１固定板部１５ｂ及び第２固定板部５ｃの距離を調整して、第１框材１５ｂ及び補強桟材１５ｅ
【００３４】
最後に、建築用屋根パネル４を施工現場へと搬送し、通気用スペーサ１５で断熱材２（図４参照）の端部を押さえ込むようにして、所定の位置に取り付ける。
【００３５】
第１及び第２の実施形態の屋根構造Ａによれば、通気用スペーサ５，１５は、平板を折り曲げて形成され、通気用スペーサ５，１５の両端部に形成された第１固定板部５ｂ，１５ｂ及び第２固定板部５ｃ，１５ｃと、それらの間に通気用スペーサ本体５ａ，１５ａと、を備えている。この通気用スペーサ本体５ａ，１５ａは、野地板（例えば、面材４ｄ）との間に通気用の空間を確保するため、屋根１の傾斜方向に沿って通気をさせることができる。また、通気用スペーサ本体５ａ，１５ａには屈折部５ｄ，１５ｄが形成されており、この屈折部５ｄ，１５ｄの屈折角度を調整することによって第１固定板部５ｂ，１５ｂと第２固定板部５ｃ，１５ｃとの間隔を調整することができる。よって、間隔の異なる第１框材４ｂと補強桟材４ｅとの間にも通気用スペーサ５，１５を容易に設けることができる。よって、通気用スペーサ５，１５の取付施工が容易になる。
【００３６】
また、屋根１が建築用屋根パネル４によって構成されていることから、この建築用屋根パネル４に予め通気用スペーサ５，１５を取り付けておくことができる。よって、作業効率が良くなる。さらに、通気用スペーサ５，１５は、屋根１と天井３との取合部に沿ってが設けられているため、屋根１の傾斜方向と直交した方向に沿って全面的に、屋根１の傾斜方向へと通気をさせることができる。
【００３７】
また、通気用スペーサ５，１５は軟質のプラスチック板から形成されているため、折り曲げなどの加工が容易な上、運搬に便利で、かつ通気用スペーサ５，１５の製造コストを抑えることもできる。
【００３８】
さらに、第１の実施形態の屋根構造Ａによれば、第１固定板部５ｂは第１框材４ｂ又は補強桟材４ｅに、第２固定板部５ｃは面材４ｄに固定されているため、通気用スペーサ本体５ａと面材４ｄとの間に形成される通気孔の幅を変えることができる。従って、通気孔の幅を変えることによって、通気量を調整することができる。
【００３９】
また、第２の実施形態の屋根構造Ａによれば、第１固定板部１５ｂ及び第２固定板部１５ｃを隣り合う第１框材４ｂ又は補強桟材４ｅにそれぞれ固定されているため、隣り合う第１框材４ｂと補強桟材４ｅとの間において、屋根１の傾斜方向に直交する方向に沿って通気用の空間を一様に確保することができる。よって、隣り合う第１框材４ｂと補強桟材４ｅとの間において、屋根１の傾斜方向に直交する方向に沿って一様に、屋根１の傾斜方向へと通気をさせることができる。
【００４０】
なお、以上の実施形態においては、建築用屋根パネル４に通気用スペーサ５，１５を設けた構成としたが、本発明はこれに限定されるものではなく、面材及び垂木から構成される屋根構造に通気用スペーサ５，１５を設けても良い。
また、止着材６をステープルとしたが、接着剤等通気用スペーサ５，１５を建築用屋根パネル４に固定できるものであればよい。
【図面の簡単な説明】
【００４１】
【図１】建築用屋根パネルの構成を示す斜視図である。
【図２】本発明に係る屋根構造に設けられる通気用スペーサの第１の実施形態の構成を示す断面図で、（ａ）は隣り合う垂木の間隔が短い場合の断面図、（ｂ）は隣り合う垂木の間隔が長い場合の断面図である。
【図３】本発明に係る屋根構造に設けられる通気用スペーサの第２の実施形態の構成を示す断面図で、（ａ）は隣り合う垂木の間隔が短い場合の断面図、（ｂ）は隣り合う垂木の間隔が長い場合の断面図である。
【図４】本発明に係る屋根構造を示す破断斜視図である。
【符号の説明】
【００４２】
１  屋根
２  断熱材
３  天井
４  建築用屋根パネル
４ａ  枠体
４ｂ  第１框材
４ｃ  第２框材
４ｄ  面材
４ｅ  補強桟材
５，１５  通気用スペーサ
５ａ，１５ａ  通気用スペーサ本体
５ｂ，１５ｂ  第１固定板部
５ｃ，１５ｃ  第２固定板部
５ｄ，１５ｄ  屈折部
Ａ  屋根構造
【図１】
2006176976.tif 000003
【図２】
2006176976.tif 000004
【図３】
2006176976.tif 000005
【図４】
2006176976.tif 000006